(57)【要約】【目的】容器の上下反転状態に関係なく、芳香効果を十分発揮させること可能な芳香剤容器を提供する。【構成】内部に収容される板状芳香剤Ｍからの芳香気体を外部に放散させるための換気孔１１５（１１２），１２３を有し、前記芳香剤の上下両面が内壁面に接触しない状態に該芳香剤Ｍを局部的に支持する支持手段１００を備え、桶形容器本体１１とこの容器本体１１に外嵌される倒桶形カバー１２から構成され、前記容器本体１１の底壁内面に形成された前記支持手段１００が、前記芳香剤Ｍを下方から局部的に支持する下側凸部１１１と、前記カバー１２の上壁内面に形成されて前記芳香剤に対して上方から局部的に支持する上側凸部１２１から構成される芳香剤容器１である。【選択図】  図２
2006271811.tif 000002
【特許請求の範囲】
【請求項１】
内部に収容される板状芳香剤からの芳香気体を外部に放散させるための換気孔を有し、前記芳香剤の上下両面が内壁面に接触しない状態に該芳香剤を局部的に支持する支持手段を備えていることを特徴とする芳香剤容器。
【請求項２】
桶形容器本体とこの容器本体に外嵌される倒桶形カバーとからなり、前記支持手段は、前記容器本体の底壁内面に形成されて、前記芳香剤を下方から局部的に支持する下側凸部と、前記カバーの上壁内面に形成されて前記芳香剤に対して上方から局部的に支持する上側凸部とから構成され、前記下側凸部及び／又は前記上側凸部が前記芳香剤の表面に当接して前記芳香剤を支持する請求項１に記載の芳香剤容器。
【請求項３】
前記容器本体にカバーが外嵌された状態で該カバーを回動操作して前記容器本体の周壁の換気孔とカバーの周壁の換気孔とが全体で重なる換気孔全開状態から前記容器本体の周壁の換気孔がカバーの周壁の非換気孔部位で閉じられる換気孔全閉状態まで連続的に開口面積を可変可能に構成されており、前記容器本体の換気孔とカバー側の換気孔のいずれか一方を４角形に形成し、他方を前記カバーの周方向に先細り状の三角形に形成した請求項２に記載の芳香剤容器。
【請求項４】
車両内に配備されているサンバイザーに挿脱可能に装着されるフックを備えている請求項１〜３のいずれかに記載の芳香剤容器。
【請求項５】
前記カバーの周壁内面に係止突部を設ける一方、前記容器本体の周壁外面に、前記カバーを容器本体に外嵌させてから結合回動操作方向へ回動変移させた際に、前記係止突部に係脱可能に係合される溝条を前記周壁外面に沿って円弧状に形成した請求項２〜４のいずれかに記載の芳香剤容器。
【請求項６】
前記容器本体における溝条の入り口付近に、カバ−の取り外し回動操作方向前方へ向かって上り勾配のガイド斜面を設け、前記カバーを結合位置から取り外し回動操作方向へ変移させた際に、前記溝条から出てきた前記係止突部を前記ガイド斜面に登らせるように設定されている請求項５に記載の芳香剤容器。
【請求項７】
請求項１〜６のいずれかに記載の芳香剤容器と、この芳香剤容器内に収容された芳香剤とを備えていることを特徴とする芳香具。
【発明の詳細な説明】
【技術分野】
【０００１】
本発明は、自動車などで使用される芳香剤や消臭剤を収容する芳香剤容器およびこの容器を備えた芳香具に関する。
【背景技術】
【０００２】
従来の芳香剤容器として、容器本体の底壁内面に芳香剤を下方から局部的に支持する支持部を形成し、芳香剤からの芳香気体を放散させる換気孔が形成されたカバーを前記容器本体に結合するようにしたものが提案されている（例えば、特許文献１参照）。
【特許文献１】実公昭６０−１９７１９号公報
【発明の開示】
【発明が解決しようとする課題】
【０００３】
しかし、従来のものは、芳香剤を支持する支持部が容器本体側のみに形成されているから、容器を上下反転姿勢にして使用する場合には、反転したカバーの上壁内面に芳香剤が密に接触した状態となり、芳香剤におけるカバーとの密着面から芳香気体が放散することが阻止されていまい、芳香効果が半減してしまう。
【０００４】
本発明は、上記実情に鑑みてなされたものであり、容器の反転状態に関係なく、芳香効果を十分発揮させることが可能な芳香剤容器およびこの容器を備えた芳香具を提供することを課題とする。
【課題を解決するための手段】
【０００５】
本発明は上記課題を解決するために為されたものであり。本発明の第1の形態は、内部に収容される板状芳香剤からの芳香気体を外部に放散させるための換気孔を有し、前記芳香剤の上下両面が内壁面に接触しない状態に該芳香剤を局部的に支持する支持手段を備えている芳香剤容器である。
【０００６】
本発明の第２の形態は、前記第１の形態において、桶形容器本体とこの容器本体に外嵌される倒桶形カバーとからなり、前記支持手段は、前記容器本体の底壁内面に形成されて、前記芳香剤を下方から局部的に支持する下側凸部と、前記カバーの上壁内面に形成されて前記芳香剤に対して上方から局部的に支持する上側凸部とから構成され、前記下側凸部及び／又は前記上側凸部が前記芳香剤の表面に当接して前記芳香剤を支持する芳香剤容器である。
【０００７】
本発明の第３の形態は、前記第２の形態において、前記容器本体にカバーが外嵌された状態で該カバーを回動操作して前記容器本体の周壁の換気孔とカバーの周壁の換気孔とが全体で重なる換気孔全開状態から前記容器本体の周壁の換気孔がカバーの周壁の非換気孔部位で閉じられる換気孔全閉状態まで連続的に開口面積を可変可能に構成されており、前記容器本体の換気孔とカバー側の換気孔のいずれか一方を４角形に形成し、他方を前記カバーの周方向に先細り状の三角形に形成した芳香剤容器である。
【０００８】
本発明の第４の形態は、前記第１〜３のいづれかの形態において、車両内に配備されているサンバイザーに挿脱可能に装着されるフックを備えている芳香剤容器である。
【０００９】
本発明の第５の形態は、前記第２〜４のいづれかの形態において、前記カバーの周壁内面に係止突部を設ける一方、前記容器本体の周壁外面に、前記カバーを容器本体に外嵌させてから結合回動操作方向へ回動変移させた際に、前記係止突部に係脱可能に係合される溝条を前記周壁外面に沿って円弧状に形成した芳香剤容器である。
【００１０】
本発明の第６の形態は、前記第５の形態において、前記容器本体における溝条の入り口付近に、カバ−の取り外し回動操作方向前方へ向かって上り勾配のガイド斜面を設け、前記カバーを結合位置から取り外し回動操作方向へ変移させた際に、前記溝条から出てきた前記係止突部を前記ガイド斜面に登らせるように設定されている芳香剤容器である。
【００１１】
本発明の第７の形態は、前記第１〜６のいずれかの芳香剤容器と、この芳香剤容器内に収容された芳香剤とを備えている芳香具である。
【発明の効果】
【００１２】
本発明の第１の形態によれば、内部に収容されている板状芳香剤の上下両面が支持手段によって内壁面に接触しないように局部的に支持されているから、容器が反転された状態でも芳香剤の上下両面からの芳香気体を有効に放散させることができ、芳香気体の放散効果が高められる。
【００１３】
本発明の第２の形態によれば、芳香剤が容器本体側の下側凸部とカバー側の上側凸部とで上下方向から局部的に挟持される状態となるから、芳香剤が安定的に保持されて芳香気体が放散される。下側凸部と上側凸部が芳香剤の上下両面に当接する場合には、芳香剤が確実に不動状態に固定されるから、芳香剤が容器内でガタつくことはない。下側凸部の頂点と上側凸部の頂点の間の間隔が、芳香剤の厚みより多少大きく設定されていてもよい。このとき、容器本体が正立された場合には、芳香剤は重力で下側凸部に当接し、上側凸部との間には隙間が形成される。しかし、この隙間が小さければ、芳香剤が容器内で少しガタついても、大きく位置ずれを起こすことは無く、しかも芳香の両面発散が実現される。容器本体が反転された場合でも、芳香剤は重力で上側凸部に当接し、下側凸部との間には隙間が形成される。前述と同様に、この隙間を小さく設定しておけば、芳香剤が容器内で少しガタついても、大きく位置ずれを起こすことは無く、しかも芳香の両面発散が実現される。上記隙間は、寸法の誤差を許容する程度に設定することが好ましい。
【００１４】
本発明の第３の形態によれば、容器本体及びカバーのいずれか一方の４角形の換気孔と他方の三角形の換気孔とによる開口面積がカバーの回動操作に伴って指数関数的に可変するので、一気に換気孔の開口面積を変えることができる。例えば、正確な三角形の場合には、回動距離（開口部の横長）をＸとすると、開口部の縦長はＸに比例し、開口面積はＸ２に比例することになる。三角形の形状を曲線も含めた変形三角形とした場合には、開口面積はＸｎに比例するようにも設計できる。このように、回動量を調節することにより、開口面積を微小開口から極大開口まで自在に変更制御することが可能になる。
【００１５】
本発明の第３の形態によれば、フックを介して容器を車両内のサンバイザーに簡単に取り付けることができるから、容器が車内などで邪魔にならず、また、サンバイザーの角度変更などに左右されることもなく、芳香剤の芳香気体を放散させることができる。特に、サンバイザーを回動させると、容器が正立から反転まで連続的に姿勢が変化するが、芳香剤が上下から確実に支持されているから、どのような姿勢でも芳香剤の両面から芳香発散させることが可能になる。
【００１６】
本発明の第５の形態によれば、前記カバーを容器本体に外嵌させてから結合回動操作方向へ変移させれば、カバー側の係止突部が容器本体周壁の溝条に係脱可能に係合するから、芳香剤の交換なども簡単に行えるばかりか、結合状態で不用意にカバーが外れるおそれもない。
【００１７】
本発明の第６の形態によれば、前記カバーを結合位置から取り外し回動操作方向へ変移させた際に、前記溝条を脱した前記係止突部が前記ガイド斜面を登るから、カバーが強制的に容器本体から離反され、カバーの取り外しが容易、かつ迅速に行える。同時に、カバーを装着する際にも、前記係止突部が前記ガイド斜面を緩やかに下るから、カバーの装着がスムーズに行える利点も有している。
【００１８】
本発明の第７の形態によれば、容器が上下反転姿勢で使用される場合でも、芳香剤の上下両面からの芳香気体を十分放散させることができる芳香具を提供できる。
【発明を実施するための最良の形態】
【００１９】
以下、この発明の実施形態を図面に基づいて説明する。
図１は、この発明の実施形態にかかる芳香剤容器を備えた芳香具を示す分解斜視図、図２は、同じく芳香具を換気孔全閉状態で示す断面図、図３は同じく芳香具を換気孔全閉状態で示す半切断面図である。
【００２０】
図１〜図３において、この芳香具１０は、芳香剤容器１と、サンバイザー取付用フック２と、芳香剤Ｍとを備えている。芳香剤Ｍは、芳香剤母剤から平面形状が厚肉の円形板形に成形されている。勿論、円形に限らず、例えば多角形などであってもよい。また、前記芳香剤容器１は、容器本体１１とカバー１２とから構成されている。
【００２１】
前記カバー１２は、合成樹脂などから浅い倒桶形に成形されており、前記容器本体１１の周壁１１ｂに外嵌して回動操作で結合されるようになっている。
【００２２】
このカバー１２の上壁１２ａの内面には、例えば図５に示すように、平面形状が円形のリブ１２１ａと十字形のリブ１２１ｂとが組み合わされて一体形成されており、その円形リブ１２１ａと十字形リブ１２１ｂの任意の交差部位に、芳香剤Ｍの上面に局部的に当接する突起状の上側凸部１２１が一体形成されている。勿論、この上側凸部１２１は、突起状に限られるものではなく、また、カバー１２の上壁１２ａの内面に直接形成したものであってもよい。前記十字形リブ１２１ｂ又は円形リブ１２１ａで前記上側凸部１２１を構成したものであってもよいが、このとき芳香剤の上面通風を確保するために、十字形や円形を小さくすれば効果的である。
【００２３】
前記カバー１２の周壁１２ｂにおける内面の開口縁近傍には、図５に示すように、容器本体１１側に係合させるために、円周方向で等配された複数、例えば２個の係止突部１２２，１２２が一体形成されている。
【００２４】
また、前記カバー１２の周壁１２ｂには、前記芳香剤Ｍからの芳香気体を放散させるために、円周方向で等配された複数、例えば４個の換気孔１２３・・・がそれぞれ形成されている。この換気孔１２３は略三角形に形成されており、後述する長方形の換気孔１１５（１１２）と合致して芳香発散用の開口部が形成される。三角形と長方形が相互に位置をずらして合致すると、その開口面積はずれ量をＸとしたとき、開口面積はＸ２に比例する。従って、微妙にＸを調節すると、開口面積がＸ２に比例して極小から極大にまで芳香発散量を調整できる利点がある。
【００２５】
更に、前記カバー１２の周壁１２ｂの内面上部には、図５に示すように、円周方向へ沿って二組の開口面積調節用の凹凸部１２４群が一体形成されている。この凹凸部１２４は後述する調節用小突起１１６と任意の位置で係合し、前記開口面積を任意の位置で固定し、その位置で設定された開口面積を確実に保持することができる。カバー１２を回動することにより、前記係合位置を前記凹凸部１２４の間で任意位置に設定でき、開口面積の任意設定と保持を与える。
【００２６】
一方、前記容器本体１１は、合成樹脂などから浅い桶形に成形されており、その底壁１１ａの中央部が円形底上げ部１１１ａとなっており、この底上げ部１１１ａの上面には、芳香剤Ｍを下方から支持する円弧状リブのような複数の下側凸部１１１が周方向へ等配されて一体形成されている。
【００２７】
これら下側凸部１１１は、前記カバー１２側の上側凸部１２１と共に、芳香剤Ｍに対する支持手段１００を構成している。勿論、前記底上げ部１１１ａを形成しないで、下側凸部１１１を設けてもよく、また、この下側凸部１１１の形状も円弧状リブに限らず、芳香剤Ｍを下方から局部的に支持できるものであれば、任意の形状を採用できる。
【００２８】
なお、この例では、前記底壁１１ａの内面には、図６および図９に示すように、底上げ部１１１ａを中心にして放射状に配列された複数のリブ１３０が一体形成されている。また、底壁１１ａの外周には、環状鍔部１１ｃが一体形成されている。
【００２９】
前記容器本体１１の周壁１１ｂには、芳香剤Ｍからの芳香気体を放散させるために、円周方向へ等配された複数、例えば２個の換気孔１１５，１１５が形成されている。
【００３０】
更に、前記周壁１１ｂには、図４および図９に示すように、これら換気孔１１５，１１５の間に位置して、前記カバー１２の結合操作時に前記係止突部１２２、１２２を受け入れさせるための係合突部進入用受入部１１２，１１２がそれぞれ形成されており、これら係合突部進入用受入部１１２，１１２も、上端が開放された換気孔として機能するようになっている。
【００３１】
すなわち、容器本体１１の周壁１１ｂには、図９に示すように、前記カバー１２側の４個の換気孔１２３・・・にそれぞれ対応して実質的に４個の換気孔１１５，１１２，１１５，１１２がこの順で円周方向へ沿って形成されている。
【００３２】
前記各係合突部進入用受入部１１２は、カバー１２を容器本体１１側に外嵌させる操作に伴って前記カバー１２側の係止突部１２２を容器本体１２の周壁１２ｂの根本付近まで進入させて外嵌状態となるのを許容するものである。
【００３３】
前記容器本体１１の周壁１１ｂの下部には、図４に示すように、係止突部進入用受入部１１２，１１２にそれぞれ隣接して、各受入部１１２の根本に達した前記係止突部１２２，１２２に対する係合用の溝条１１３，１１３が周壁１１ｂの外面に沿って円弧状に形成されている。
【００３４】
各溝条１１３は、前記各係止突部１２２が係止突部進入用受入部１１２に進入された状態で前記カバー１２を結合回動操作方向（矢印ａ方向）へ回動操作するに伴って、各係止突部１２２を進入させて係脱可能に係合するようになっている。
【００３５】
前記容器本体１１の周壁１１ｂの外面上部には、図１に示すように、前記カバー１２側の開口面積調節用の凹凸部１２４，１２４に対応して、調節用小突起１１６，１１６が一体形成されている。この調節用小突起１１６は、前記カバー１２を容器本体１１に外嵌して回動操作した際に、前記カバー１２側の調節用凹凸部１２４と噛み合って該回動操作に節度を与えるようになっている。前記カバー側の換気孔１２３は、前記調節用微小突起１１６が始点凹部１２４ａと係合するとき、全閉状態となり、終点凹部１２４ｂと係合するとき、全開状態となる。従って、前記調節用凹凸部１２４と係合しながら前記調節用微小突起１１６が始点凹部１２４ａから終点凹部１２４ｂまで移動することにより、前記カバー側の換気孔１２３の開口面積を段階的に調整することができる。
【００３６】
更に、図１及び図４の各溝条１１３の内部には、図１２及び図１３に示すように、前記カバー１２を結合回動操作方向へ一定量回動変移させた際に前記係止突部１２２に係止させる第１位置決め部１３１と、さらに結合回動操作方向へ一定量回動変移させた際に、前記係止突部１２２を停止させる第２位置決め部１３２とがそれぞれ一体形成されている。更に、第２位置決め部１３２の後段には、完全係止部１３３が一体形成されている。
【００３７】
前記係止突部１２２が第１の位置決め部１３１に係止された位置では、図１２に示すように、前記容器本体１１側の各換気孔１１５（１１２）がカバー１２側の周壁１２ｂの非換気孔部位で全閉される状態となり、また、前記係止突部１１２が第２の位置決め部１３２に係止された位置では、図１３に示すように、前記容器本体１１側の各換気孔１１５（１１２）がカバー１２側の換気孔１２３に重なって全開状態となる。従って、前述したように、前記調節用凹凸部１２４によって、前記各換気孔１１５（１１２）の開口面積が段階的に調整されると共に、前記係止突部１１２、前記第１位置決め部１３１及び第２位置決め部１３２により、前記各換気孔１１５（１１２）の全閉位置と全開位置で前記カバーを確実に係止することができる。更に、前記完全係止部１３３により、第２位置決め部１３２の係止位置から外れた係止突部１２２が完全に係止され、前記各換気孔１１５（１１２）が全開状態から更に回動することを防止することができる。
【００３８】
なお、この例では、第１位置決め部１３１は、図１２および図１３に示すように、２個の小突部１３１ａ，１３１ａ間に前記係止突部１２２を嵌入させるようにしてあるが、これに限定されるものではない。また、第２位置決め部１３２も、図１２および図１３に示すように、２個の小突部１３２ａ，１３２ａ間に前記係止突部１２２を嵌入させるようになっているが、これに限定されるものではない。更に、前記係止突部１１２、前記第１位置決め部１３１及び第２位置決め部１３２を設けずに、前記各換気孔１１５（１１２）の開閉を前記調節用凹凸部１２４と前記調節用微小突起１１６だけで行うこともできる。
【００３９】
更に、図４に示すように、前記容器本体１１における各係止突部進入用受入部１１２の前には、各溝条１１３の入り口側に近接して、前記カバー１１の取り外し回動操作方向（矢印ｂ方向）前方へ向かって上り勾配のガイド斜面１１４が形成されている。このガイド斜面１１４は、その上端が前記換気孔１１５の底辺より低位置になるように形成され、前記カバー１２を回動操作する場合に、前記換気孔１２３の開口面が周壁により塞がれないように構成されている。
【００４０】
図１４のガイド斜面１１４の上端部には、ガイド面１１４ａが設けられ、上述のように、前記カバー１２を回動操作する場合に、前記カバー側の換気孔１２３の開口面が塞がれないように構成されている。前記ガイド斜面１１４及びガイド面１１４ａは、前記カバー１２を容器本体１１から取り外し回動操作方向ｂへ回動操作し、前記カバー１２側の係止突部１２２が溝条１１３の入り口から後退した際に、その係止突部１２２が前記ガイド斜面１１４を通過するに伴ってカバー１２を容器本体１１から離反方向（図１４の矢印ｃ方向）へ強制変移させるように作用し、カバー１２を容器本体１１から容易に取り外すことができる。逆に、カバー１２を容器本体１１に回動装着する場合にも、係止突部１２２，１２２が前記ガイド面１１４ａからガイド斜面１１４を下り、円滑な装着を可能にする。
【００４１】
前述したように、前記容器本体１１側の換気孔１１５とカバー１２側の換気孔１２３のうちの一方、例えば容器本体１１側の換気孔１１５は、周方向へ長い長方形に形成されており、他方であるカバー１２側の換気孔１２３は、結合回動操作方向へ向かって先細り状の三角形に形成されている。
【００４２】
ついで、前記サンバイザー取付用のフック２は、図１０および図１１に示すように、前記容器本体１１の底壁１１ａの下面に対する取付用固定片部２１と、この固定片部２１の基端からＵ字形に折り返されて、図１５および図１６に示すサンバイザーＳの一方の面を押圧する押圧片部２２とからなり、例えば金属ばね板などを使用して全体的には概ねΩ形に成形されている。
【００４３】
前記フック２における固定片部２１の先端は、上面側で基端側へ折り返されたＵ字形係止片２１ａとなっており、また、前記固定片部２１の基端側には、上面側から基端側に向かって折曲されたＬ形片２１ｂが切り起こし形成されている。
【００４４】
前記容器本体１１の底壁１１ａの下面の半径方向の端部には、図８に示すように、前記フック２におけるＵ字形係止片２１ａを半径方向外方から係止させる突出部１１１ｂが形成され、さらに、突出部１１１ｂとは反対側の端部には、前記フック２におけるＬ形片２１ｂを半径方向内方から係合させる係合孔部１１１ｃが形成されている。勿論、上記フック２をカバー１２の上壁外面など、他の部位に取り付けるようにしてもよい。
【００４５】
つぎに、上記構成の芳香具１の使用手順を説明する。
まず、前記容器本体１１内に芳香剤Ｍを収容してから、前記カバー１２を装着し、例えば図１５に示すように、自動車のダッシュボードＤ上に載置して使用する。
【００４６】
前記カバー１２を装着するには、このカバー１２の周壁１２ｂの内面における各係止突部１２２を容器本体１１の周壁１１ｂにおける各係止突部進入用受入部１１２に位置させてから該カバー１２の周壁１２ｂを容器本体１１の周壁１１ｂに差し込む。カバー１２側の係止突部１２２が前記容器本体１１側の周壁１２ｂのガイド斜面１１４に当接するから、そのまま係止突部１２２を降下させると、前記係合用溝条１１３の入り口に達する。
【００４７】
その時点で前記カバー１２を結合回動操作方向へ回動操作すると、前記係止突部１２２が溝条１１３に入り込み、前記カバー１２が容器本体１１に結合状態となる。つまり、前記カバー１２側の係止突部１２２を容器本体１１に対して嵌め込んでから回動させるだけで、簡単に結合させることができるうえ、結合状態のカバー１２が不用意に外れるおそれはない。
【００４８】
そして、この係止突部１２２が図１２に示すように、所定の変移位置に達すれば、第１の位置決め部１３１に係合してカバー１２が完全に結合された状態となる。この位置では、前記容器本体１１側の各換気孔１１５（１１２）がカバー１２側の周壁１２ｂの非換気孔部位に重ねられて全閉状態に保持される。
【００４９】
カバー１２をさらに結合回動操作方向へ回動変移させると、前記前記容器本体１１側の各換気孔１１５（１１２）が開き始め、さらに一定の変移位置では、図１３に示すように、前記係止突部１２２が第２位置決め部１３２に当たって係止される。この位置では、前記容器本体１１側の各換気孔１１５（１１２）カバー１２側の換気孔１２３に重なって全開状態に保持される。
【００５０】
ところで、前記カバー１２の回動操作によって係止突部１２２が前記容器本体１１側の溝条１１３に入ってから第１位置決め部１３１を経て、第２の位置決め部１３２に達するまでの間は、前記カバー１２側の調節用凹凸部１２４が容器本体１１側の調節用小突起１１６に噛み合うから、前記カバー１２の回動操作に節度が与えられ、該カバー１２を微細に変移させることができ、任意の位置で留めることができる。
【００５１】
前記容器本体１１にカバー１２が完全に結合されると、内部に収容された芳香剤Ｍが容器本体１１側の下側凸部１１１で下方から局部的に支持される一方、カバー１２側の上側凸部１２１により上方から局部的に押し付けられるから、該芳香剤Ｍは、その上下面が前記容器本体１１の底壁１１ａ内面およびカバー１２の上壁１２ａ内面に全面的に接触することなく支持される。
【００５２】
いま、前記カバー１２の一定の回動位置で、前記容器本体１１側の換気孔１１５（１１２）と前記カバー１２側の換気孔１２３とが完全又は一部重なって全開状態などの開放状態であれば、芳香剤Ｍからの芳香気体が換気孔１１５（１２３）から外部に放散されて、芳香作用が発揮される。
【００５３】
特に、芳香剤Ｍが上側および下側凸部１２１，１１１で局部的に支持されているから、容器１を上下反転した状態で設置した場合でも、芳香剤Ｍの上下両面に空間が存在することになり、通風によりその芳香剤Ｍの上下両面からの芳香気体を有効に放散させることができ、芳香効果が十分発揮される。
【００５４】
前記芳香剤容器１として、芳香剤Ｍの支持手段１００を設けることにより、初期の目的を達成させることができるが、このことに限っては、前記容器本体１１やカバー１２として、桶形以外の任意のものものにも採用できるものであり、結合構造なども回動操作の要らない任意の構成を採用可能である。その場合、支持手段１００としては、前記凸部１１１，１２１以外に芳香剤Ｍを局部的に支持できる任意の構造、例えな容器１内に芳香剤用抱き持ち部などを設ける構成などを採用可能である。
【００５５】
なお、前記上下の凸部１１１，１２１のうちの少なくともいずれか一方を弾性片で構成することも可能である。その場合、芳香剤Ｍを一層がたつきなく保持させることができるうえ、弾性反力によってカバー１２の結合状態を一層しっかりと保持させることが可能となる。
【００５６】
ところで、前記容器本体１１側の換気孔１１５と前記カバー１２側の換気孔１２３の両方が長方形であってもよいが、その場合、カバー１２の回動操作による実効開口率の変化が一次関数的に変化するので、芳香気体の拡散量を一気に増減変化させるのは難しい。
【００５７】
この点につき、この例では、カバー１２側の換気孔１２３が三角形であり、この三角形の換気孔１２３と容器本体１１側の長方形の換気孔１１５（１１２）との組み合わせにより、カバー１２の回動操作による実効開口率が二次関数、更には指数関数的に変化するから、芳香気体の拡散量を一気に増減調整させることができ、便利である。
【００５８】
また、前記カバー１２を取り外し回動操作方向へ回動変移させれば、前記カバー１２側の係止突部１２２が前記取り外し回動操作方向へ変移し、容器本体１１側の溝条１１３から脱すると、係合が解除される。前記カバー１２をさらに取り外し回動操作方向へ変移させれば、図１４に示すように、係止突部１２２が前記ガイド斜面１１４を登るので、これに伴って前記カバー１２が強制的に容器本体１１から離反されることになる。従ってカバー１２を容器本体１１から簡単に取り外すことができる。
【００５９】
ところで、前記芳香具１０を図１６に示すように、自動車のサンバイザーＳに取り付けて使用したい場合には、まず、前記フック２を容器本体１１の底壁１１ａの外面に装着しておく。
【００６０】
フック２における固定片部２１の先端のＵ字形係止片２１ａを前記容器本体１１の突出部１１１ｂに係合し、この状態から前記フック２における固定片部２１をやや撓ませながら前記Ｌ形片２１ｂを容器本体１１の係合孔部１１１ｃに半径方向内方から係合させれば、前記フック２が容器本体１１の底壁１１ａの外面に装着される。
【００６１】
そして、前記フック２をサンバイザーＳに差し込めば、該フック２の押圧片部２２が前記サンバイザーＳを厚み方向から弾性的に押し付けるから、芳香容器１がサンバイザーＳにしっかりと装着され、サンバイザーＳの角度変更などで外れたりするおそれもない。
【００６２】
芳香容器１をサンバイザーＳに装着すると、この芳香容器１が車内で邪魔になったりすることもなく、普通に使用することができる。また、前記芳香具１０が上下で反転した状態であっても、前記サンバイザーＳにフック２を差し込んで使用できるうえ、その反転状態でも、前述したように、芳香剤Ｍの上下両面から芳香気体を放散させることができる。
【産業上の利用可能性】
【００６３】
前記芳香具１０は、容器１内に、芳香剤に代えて消臭剤を収容すれば、消臭具として使用できる。
【図面の簡単な説明】
【００６４】
【図１】この発明の実施形態にかかる芳香容器を備えた芳香具を示す分解斜視図である。
【図２】同じく芳香具を換気孔全閉状態で示す断面図である。
【図３】同じく芳香具を換気孔全開状態で示す半切断面図である。
【図４】芳香容器における容器本体の一部を示す斜視図である。
【図５】芳香容器におけるカバーを示す底面図である。
【図６】容器本体を示す平面図である。
【図７】同じく容器本体を示す側面図である。
【図８】同じく容器本体を示す底面図である。
【図９】図７のＡ−Ａ線に沿った平面断面図である。
【図１０】フックを示す上面図である。
【図１１】図１０のＸ−Ｘ線に沿った断面図である。
【図１２】カバーの結合時の動作を換気孔の全閉状態で示す部分平面断面図である。
【図１３】カバーの結合時の動作を換気孔の全開状態で示す部分平面断面図である。
【図１４】カバーを外す場合のガイド斜面の動作説明図である。
【図１５】芳香具の設置使用状態の説明図である。
【図１６】芳香具を自動車のサンバイザーに取り付けた使用状態の説明図である。
【符号の説明】
【００６５】
１              芳香剤容器
２              サンバイザー取付用フック
１０            芳香具
１１            容器本体
１１ａ          容器本体の底壁
１１ｂ          容器本体の周壁
１１ｃ          環状鍔部
１２            カバー
１２ａ          カバーの上壁
１２ｂ          カバーの周壁
２１            フックの固定片部
２１ａ          フックのＵ字形係止片
２１ｂ          Ｌ形片
２２            押圧片部
１００          支持手段
１１１          下側凸部
１１１ａ        容器本体の底上げ部
１１１ｂ        突出部
１１１ｃ        係合孔部
１１２          係止突部進入用受入部（換気孔）
１１３          溝条
１１４          ガイド斜面
１１４ａ        ガイド面
１１５          容器本体側の換気孔
１１６          容器本体側の調節用小突起
１２１          上側凸部
１２１ａ        円形リブ
１２１ｂ        十字形リブ
１２２          カバー側の係止突部
１２３          カバー側の換気孔
１２４          カバー側の調節用小突起
１２４ａ        始点凹部
１２４ｂ        終点凹部
１３０          リブ
１３１          第１位置決め部
１３１ａ        小突部
１３２          第２位置決め部
１３２ａ        小突部
１３３          完全係止部
ａ              結合回動操作方向
ｂ              取り外し回動操作方向
ｃ              カバー離反方向
Ｄ              ダッシュボード
Ｍ              芳香剤
Ｓ              サンバイザー
【図１】
2006271811.tif 000003
【図２】
2006271811.tif 000004
【図３】
2006271811.tif 000005
【図４】
2006271811.tif 000006
【図５】
2006271811.tif 000007
【図６】
2006271811.tif 000008
【図７】
2006271811.tif 000009
【図８】
2006271811.tif 000010
【図９】
2006271811.tif 000011
【図１０】
2006271811.tif 000012
【図１１】
2006271811.tif 000013
【図１２】
2006271811.tif 000014
【図１３】
2006271811.tif 000015
【図１４】
2006271811.tif 000016
【図１５】
2006271811.tif 000017
【図１６】
2006271811.tif 000018